(57)【要約】【課題】施工性がよい防災トイレ設備および防災トイレ設備用基礎ブロックを提供する。【解決手段】排水管１０と、排水管１０に接続された縦管２０と、縦管２０の上端部に設けられた基礎ブロック３０と、基礎ブロック３０の上面に常設されたトイレスツール４０とを備え、基礎ブロック３０は、底面に縦管２０の上端部が挿入される縦管挿入凹部３１が形成されており、上面と縦管挿入凹部３１とを連通する汚物投入孔３２が形成されている。縦管挿入凹部３１に縦管２０の上端部が挿入されるので、縦管挿入凹部３１の深さ分だけ縦管２０に対する基礎ブロック３０の上下位置のズレを許容できる。基礎ブロック３０の上面にはトイレスツール４０が常設されるので、地面に対する基礎ブロック３０の上下位置を精度よく調整する必要がなく、上下位置のズレを許容できる。そのため施工性がよい。【選択図】図１
2015062609.tif 000002
【特許請求の範囲】
【請求項１】
地中に埋設された排水管と、
地中に埋設され、前記排水管に接続された縦管と、
前記縦管の上端部に設けられた基礎ブロックと、
前記基礎ブロックの上面に常設されたトイレスツールと、を備え、
前記基礎ブロックは、
底面に前記縦管の上端部が挿入される縦管挿入凹部が形成されており、
上面と該縦管挿入凹部とを連通する汚物投入孔が形成されている
ことを特徴とする防災トイレ設備。
【請求項２】
前記縦管挿入凹部の底面には、前記汚物投入孔の開口部を囲う水切り溝が形成されている
ことを特徴とする請求項１記載の防災トイレ設備。
【請求項３】
前記トイレスツールは、
汚物が投入されるシュートと、
前記シュートの下端部に接続されたフラッパ弁と、
前記フラッパ弁の排出管が貫通した防臭蓋と、を備え、
前記防臭蓋と前記基礎ブロックとは、互いに嵌合し、嵌合状態において該防臭蓋が該基礎ブロックの上面に載せ置かれ前記汚物投入孔の開口部を封止するとともに、前記排出管が前記汚物投入孔に挿入されるよう構成されている
ことを特徴とする請求項１または２記載の防災トイレ設備。
【請求項４】
前記トイレスツールは、
スツール脚と、
汚物が投入されるシュートと、を備え、
前記シュートは、前記スツール脚に取り外し可能に設けられる
ことを特徴とする請求項１、２または３記載の防災トイレ設備。
【請求項５】
排水管と、該排水管に接続された縦管とを備える防災トイレ設備に用いられる基礎ブロックであって、
底面に前記縦管の上端部が挿入される縦管挿入凹部が形成されており、
上面と前記縦管挿入凹部とを連通する汚物投入孔が形成されている
ことを特徴とする防災トイレ設備用基礎ブロック。
【請求項６】
前記縦管挿入凹部の底面には、前記汚物投入孔の開口部を囲う水切り溝が形成されている
ことを特徴とする請求項５記載の防災トイレ設備用基礎ブロック。
【請求項７】
上面に、フラッパ弁に設けられた防臭蓋と嵌合する嵌合部が形成されている
ことを特徴とする請求項５または６記載の防災トイレ設備用基礎ブロック。
【発明の詳細な説明】
【技術分野】
【０００１】
本発明は、防災トイレ設備および防災トイレ設備用基礎ブロックに関する。さらに詳しくは、地震等の災害時の避難場所となる区域に予め設置され、災害時にトイレとして利用できる防災トイレ設備、および防災トイレ設備に用いられる基礎ブロックに関する。
【背景技術】
【０００２】
地震等の災害時には、多数の人々が学校や公園等の避難場所に避難して生活することがある。この場合、災害により水道などの給水設備が破損してしまうと、水洗トイレで汚物を流すことができなくなり、トイレを使用できないという問題がある。
【０００３】
そこで、災害時に仮設トイレを設置できるようにするための配管構造が提案されている（例えば、特許文献１）。図１４に示すように、特許文献１の配管構造112は、排水管120と、排水管120に接続された複数の縦管130とからなり、これらが地中に埋設されている。図１５に示すように、縦管130の上端開口部は内蓋132によって閉じられている。縦管130の上端部の外側には台座134が配置されており、この台座134の上面に受枠136が設けられている。受枠136の開口部は鉄蓋138で閉じられており、鉄蓋138の上面が地面140に露出している。
【０００４】
災害時には、鉄蓋138および内蓋132を取り外し、縦管130に対応させて便器122を据付けて、各便器122に仮設小屋160を設置する（図１４参照）。そのため、災害時に配管構造112を直ちに利用でき、仮設トイレを早急に設置することができる。
【０００５】
しかし、上記特許文献１の配管構造112には以下（１）、（２）の問題がある。
（１）排水管120は汚物の流れを良くするために傾斜を有している。そのため、複数の縦管130は、排水管120と地面140との距離に合わせてそれぞれ異なる長さに調整される。このような縦管130の長さの調整は現場で縦管130用のパイプを切断して行うため、正確に調整することは困難である。そのため、縦管130の上端と地面140との距離にはばらつきが生じる。その一方で、鉄蓋138が地面140と面一となるように施工する必要がある。鉄蓋138が地面140と面一でないと、配管構造112の埋設場所に凹凸が生じ、平常時に利用し難くなるからである。縦管130の上端のバラつきを吸収して鉄蓋138が地面140と面一となるように施工するには、台座134を適切な深さに埋設する必要がある。そのため、施工が面倒であり高度な技術を要するという問題がある。また、一般に台座134は現場打ちコンクリートで形成されるため、施工に手間がかかり、長期間の工期を要するという問題がある。
【０００６】
（２）鉄蓋138および内蓋132を取り外すと、縦管130の上端開口部が露出することとなる。一般に市販されている便器122を据付けたとしても縦管130の上端開口部と便器122との間には隙間が生じるため、排水管120内の汚物から臭気が上がってきて、快適性に劣るという問題がある。
【０００７】
図１６に示すように、特許文献２の汚物処理施設は、下水道管203に接続された鉛直管201と、鉛直管201の上端部周囲に設けられたマス204とを有している。マス204は、箱体212と、箱体212の上面に設置される蓋枠213と、平常時に蓋枠213の開口部に嵌着される蓋体（図示せず）とからなる。マス204は、鉛直管201の上端部、および鉛直管201の上端部に嵌合装着された頭部継手管207を保護するため、またトイレ部202の据付けのため設置される。
【０００８】
トイレ部202は、管体としての便器本体220と、便器本体220を支持する支持枠体221とからなる。災害時にトイレ部202を設置するには、蓋枠213に嵌着された蓋体を取り外し、支持枠体221を蓋枠213の上面に固定した後、便器本体220を支持枠体221の上面開口部から挿入して、便器本体220上端のフランジを支持枠体221の上面に係止させるとともに、便器本体220の下端部を頭部継手管207に差し込む。
【０００９】
しかし、上記特許文献２の汚物処理施設には以下（１）、（２）の問題がある。
（１）便器本体220上端のフランジが支持枠体221の上面に係止した状態で、便器本体220の下端部が頭部継手管207に差し込まれなければならない。そのためには、頭部継手管207と支持枠体221との位置関係が正確に調整されている必要がある。支持枠体221の位置はマス204により定められるため、マス204を適切な位置に埋設する必要がある。そのため、施工が面倒であり高度な技術を要するという問題がある。
【００１０】
（２）災害時は素人でもトイレ部202を短時間で容易に設置できる必要がある。しかし、便器本体220と頭部継手管207との接続は管同士の接続であり素人には困難である。しかも支持枠体221に隠れて接続部分が見えないことから、素人にとってトイレ部202の組み立て作業がより一層困難なものとなっている。また、便器本体220が汚れても洗浄や交換などのメンテナンスが困難である。
【先行技術文献】
【特許文献】
【００１１】
【特許文献１】特許第４０９３８９５号公報
【特許文献２】特開２０００−３０３５３７号公報
【発明の概要】
【発明が解決しようとする課題】
【００１２】
本発明は上記事情に鑑み、施工性がよい防災トイレ設備および防災トイレ設備用基礎ブロックを提供することを目的とする。
また、快適性やメンテナンス性に優れる防災トイレ設備および防災トイレ設備用基礎ブロックを提供することを目的とする。
さらに、災害時に素人でも簡単に組み立てることができる防災トイレ設備および防災トイレ設備用基礎ブロックを提供することを目的とする。
【課題を解決するための手段】
【００１３】
第１発明の防災トイレ設備は、地中に埋設された排水管と、地中に埋設され、前記排水管に接続された縦管と、前記縦管の上端部に設けられた基礎ブロックと、前記基礎ブロックの上面に常設されたトイレスツールと、を備え、前記基礎ブロックは、底面に前記縦管の上端部が挿入される縦管挿入凹部が形成されており、上面と該縦管挿入凹部とを連通する汚物投入孔が形成されていることを特徴とする。
第２発明の防災トイレ設備は、第１発明において、前記縦管挿入凹部の底面には、前記汚物投入孔の開口部を囲う水切り溝が形成されていることを特徴とする。
第３発明の防災トイレ設備は、第１または第２発明において、前記トイレスツールは、汚物が投入されるシュートと、前記シュートの下端部に接続されたフラッパ弁と、前記フラッパ弁の排出管が貫通した防臭蓋と、を備え、前記防臭蓋と前記基礎ブロックとは、互いに嵌合し、嵌合状態において該防臭蓋が該基礎ブロックの上面に載せ置かれ前記汚物投入孔の開口部を封止するとともに、前記排出管が前記汚物投入孔に挿入されるよう構成されていることを特徴とする。
第４発明の防災トイレ設備は、第１、第２または第３発明において、前記トイレスツールは、スツール脚と、汚物が投入されるシュートと、を備え、前記シュートは、前記スツール脚に取り外し可能に設けられることを特徴とする。
第５発明の防災トイレ設備用基礎ブロックは、排水管と、該排水管に接続された縦管とを備える防災トイレ設備に用いられる基礎ブロックであって、底面に前記縦管の上端部が挿入される縦管挿入凹部が形成されており、上面と前記縦管挿入凹部とを連通する汚物投入孔が形成されていることを特徴とする。
第６発明の防災トイレ設備用基礎ブロックは、第５発明において、前記縦管挿入凹部の底面には、前記汚物投入孔の開口部を囲う水切り溝が形成されていることを特徴とする。
第７発明の防災トイレ設備用基礎ブロックは、第５または第６発明において、上面に、フラッパ弁に設けられた防臭蓋と嵌合する嵌合部が形成されていることを特徴とする。
【発明の効果】
【００１４】
第１発明によれば、基礎ブロックの縦管挿入凹部に縦管の上端部が挿入されるので、縦管挿入凹部の深さ分だけ縦管に対する基礎ブロックの上下位置のズレを許容できる。また、基礎ブロックの上面にはトイレスツールが常設されるので、地面に対する基礎ブロックの上下位置を精度よく調整する必要がなく、上下位置のズレを許容できる。このように、基礎ブロックの上下位置に自由度があるので施工性がよい。
第２発明によれば、縦管挿入凹部の底面に水切り溝が形成されているので、汚物や洗浄水が縦管挿入凹部の表面を伝って縦管の外に漏れ出ることを防止できる。そのため、縦管の周囲の土壌が汚染され臭気が発生することを防止でき、快適性に優れる。
第３発明によれば、汚物投入孔の開口部が防臭蓋により封止されるとともに、フラッパ弁が接続されるので、排水管内の汚物からの臭気が外に漏洩することを抑制でき、快適性に優れる。また、防臭蓋を基礎ブロックに嵌合させるだけで、フラッパ弁の取り付けができるので、災害時に素人でも簡単に組み立てることができる。
第４発明によれば、シュートによりスツール脚や基礎ブロックが汚れることを防止できる。また、シュートは取り外し可能であるので、シュートを取り外して隅々まで洗浄したり、汚れたシュートを新しいものに取り替えたりすることができ、素人でもメンテナンスが容易である。そのため、清潔な状態を保つことができる。
第５発明によれば、基礎ブロックの縦管挿入凹部に縦管の上端部が挿入されるので、縦管挿入凹部の深さ分だけ縦管に対する基礎ブロックの上下位置のズレを許容できる。基礎ブロックの上下位置に自由度があるので施工性がよい。
第６発明によれば、縦管挿入凹部の底面に水切り溝が形成されているので、汚物や洗浄水が底面を伝って縦管の外に漏れ出ることを防止できる。そのため、縦管の周囲の土壌が汚染され臭気が発生することを防止でき、快適性に優れる。
第７発明によれば、防臭蓋を基礎ブロックに嵌合させるだけで、フラッパ弁の取り付けができるので、災害時に素人でも簡単に組み立てることができる。
【図面の簡単な説明】
【００１５】
【図１】本発明の一実施形態に係る防災トイレ設備の正面図である。
【図２】同防災トイレ設備の平面図である。
【図３】基礎ブロックの平面図である。
【図４】基礎ブロックの底面図である。
【図５】（Ａ）図は図３におけるVa-Va線矢視断面図、（Ｂ）図は図３におけるVb-Vb線矢視断面図、（Ｃ）図は図３におけるVc-Vc線矢視断面図である。
【図６】スツールの形態とした場合のトイレスツール部分拡大図である。
【図７】スツールの形態とした場合のトイレスツール組立図である。
【図８】便器の形態とした場合のトイレスツール部分拡大図である。
【図９】便器の形態とした場合のトイレスツール組立図である。
【図１０】フラッパ弁の縦断面図である。
【図１１】防臭蓋と基礎ブロックの接続部分拡大図である。
【図１２】その他の実施形態における、便器の形態とした場合のトイレスツール部分拡大図である。
【図１３】その他の実施形態における、便器の形態とした場合のトイレスツール組立図である。
【図１４】従来の配管構造の正面図である。
【図１５】同配管構造の縦管部分拡大図である。
【図１６】従来の汚物処理施設の正面図である。
【発明を実施するための形態】
【００１６】
つぎに、本発明の実施形態を図面に基づき説明する。
図１および図２に示すように、本発明の一実施形態に係る防災トイレ設備Ａは、地中に埋設された排水管１０と、排水管１０に接続された複数の縦管２０と、各縦管２０の上端部に設けられた基礎ブロック３０と、基礎ブロック３０の上面に常設されたトイレスツール４０とを備える。防災トイレ設備Ａは、地震等の災害時の避難場所となる学校や公園等に施工される。
【００１７】
トイレスツール４０は、スツール（腰掛け）の形態と、便器の形態とに組み替えることができるものである。平常時はスツールとして使用でき、災害時は便器として使用できる。図１および図２において、右側３つのトイレスツール４０ａはスツールの形態であり、左側２つのトイレスツール４０ｂは便器の形態である。一般には、平常時は全てのトイレスツール４０をスツールの形態とし、災害時は全てまたは一部のトイレスツール４０を便器の形態にする。なお、複数のトイレスツール４０に長尺の座板を掛け渡し、ベンチの形態とすることもできる。
【００１８】
排水管１０は、一端が給水桝１１に接続され、他端が既設のマンホール１２に接続されている。マンホール１２は下水道本管（図示せず）に接続されている。排水管１０は、水平に対して所定の勾配を有し、マンホール１２に向かって下る傾斜状態で横方向に沿って地中に埋設されている。
【００１９】
給水桝１１は、水を確保しやすい学校施設内のプールや貯水槽等の近傍に埋設される。災害時には、プールや貯水槽等から給水桝１１に水を引き込み、その水を排水管１０に流すことで、その水勢により排水管１０内の汚物をマンホール１２に流し、下水道本管に排出する。
【００２０】
複数の縦管２０は、排水管１０の長手方向に適当な間隔をあけて配置されている。各縦管２０は、垂直状態で地中に埋設されており、下端部が排水管１０に接続されている。
【００２１】
図３、図４および図５に示すように、基礎ブロック３０は平面視略矩形の平板状のプレキャストコンクリートブロックである。基礎ブロック３０には、その底面に縦管２０の上端部が挿入される縦管挿入凹部３１が形成されている。また、基礎ブロック３０の上面と縦管挿入凹部３１とを連通する汚物投入孔３２が形成されている。
【００２２】
縦管挿入凹部３１の深さは基礎ブロック３０の厚みの略半分である。縦管挿入凹部３１および汚物投入孔３２は横断面が円形であり、汚物投入孔３２の内径は縦管挿入凹部３１の内径より小さくなっている。また、縦管挿入凹部３１および汚物投入孔３２は基礎ブロック３０の略中央において同心状に配置されている。
【００２３】
基礎ブロック３０の上面には、汚物投入孔３２の周囲４箇所に嵌合凹部３３が形成されている。嵌合凹部３３は後述の防臭蓋４６との嵌合に用いられる。その詳細は後述する。基礎ブロック３０の四隅には、上下面に貫通するアンカー孔３４が形成されている。アンカー孔３４はトイレスツール４０の設置に用いられる。その詳細は後述する。縦管挿入凹部３１の底面には、汚物投入孔３２の開口部を囲うように、円環状の水切り溝３５が形成されている。水切り溝３５の作用効果は後述する。
【００２４】
図６および図７に示すように、縦管２０の上端部に基礎ブロック３０が設けられる。基礎ブロック３０の施工は以下のように行われる。まず、縦管２０を、上端部を残して地中に埋設する。つぎに、縦管２０の上端部の周囲に基礎砕石３０ｓを敷き込み、基礎砕石３０ｓの上に基礎ブロック３０を載せ置く。この際、基礎ブロック３０の縦管挿入凹部３１に縦管２０の上端部を挿入する。
【００２５】
縦管挿入凹部３１に縦管２０を挿入可能とするため、縦管挿入凹部３１の内径は、縦管２０の外径よりも若干大きく設定される。ただし、縦管挿入凹部３１の内面と縦管２０の外面との間の隙間が狭い方が、排水管１０内の汚物からの臭気がその隙間を通じて外に漏洩することを抑制できるため好ましい。そのため、縦管挿入凹部３１の内面と縦管２０の外面との間の隙間は数cm以内に設定される。
【００２６】
基礎ブロック３０の上面にはトイレスツール４０が設けられる。トイレスツール４０は、スツール脚４１と、スツール脚４１の上面に設けられた座板４２とを備えている。スツール脚４１は四角柱状のプレキャストコンクリート製品であり、上下に貫通した中空部４１ｈを有している。基礎ブロック３０は、スツール脚４１の底面よりも一回り大きく構成されている。
【００２７】
スツール脚４１の底面四隅には、下方に突出するアンカーボルト４１ａが固定されている。スツール脚４１を基礎ブロック３０の上面に載せ置く際に、このアンカーボルト４１ａを基礎ブロック３０のアンカー孔３４に挿入することで、スツール脚４１を基礎ブロック３０に位置決めできる。なお、アンカー孔３４には予めモルタル等が充填される。そのモルタルが固化することでアンカーボルト４１ａが基礎ブロック３０に固定され、スツール脚４１が基礎ブロック３０に強固に固定される。
【００２８】
スツール脚４１の底面と基礎ブロック３０の上面との間にモルタルを充填することで、スツール脚４１の高さ調整を行ったり、スツール脚４１と基礎ブロック３０とを密着状態で固定したりしてもよい。
【００２９】
基礎ブロック３０およびスツール脚４１の下端部は地中に埋没される。基礎ブロック３０の汚物投入孔３２の上側開口部には、内蓋３６が嵌め込まれる。基礎ブロック３０により縦管２０の開口部が閉塞され、排水管１０および縦管２０と外部空間とが遮断される。そのため、平常時においても、下水道本管の汚物からの臭気が外に漏洩することを抑制できる。
【００３０】
スツール脚４１の上面には、ボルト等で座板４２が固定される。これにより、トイレスツール４０をスツールの形態とすることができる。トイレスツール４０をスツールとして利用できるので、平常時でも利用価値があり、防災トイレ設備Ａの施工場所が無駄とならない。
【００３１】
防災トイレ設備Ａは、その施工において、基礎ブロック３０の縦管挿入凹部３１に縦管２０の上端部が挿入されるので、縦管挿入凹部３１の深さ分だけ縦管２０に対する基礎ブロック３０の上下位置のズレを許容できる。また、基礎ブロック３０の上面にはトイレスツール４０が常設され、しかも、基礎ブロック３０およびスツール脚４１の下端部は地中に埋設される。そのため、基礎ブロック３０の上面を地面と面一にするなど、地面に対する基礎ブロック３０の上下位置を精度よく調整する必要がなく、上下位置のズレを許容できる。このように、基礎ブロック３０の上下位置に自由度があるので施工性がよい。
【００３２】
また、基礎ブロック３０はプレキャストコンクリートブロックであり、簡単な形状であるので、コストを抑えることができる。
【００３３】
つぎに、トイレスツール４０の便器の形態について説明する。
図８および図９に示すように、トイレスツール４０は、スツール脚４１と座板４２のほかに、便器用の構成部材を備える。本実施形態のトイレスツール４０は、便器用の構成部材として、便座４３、シュート４４、フラッパ弁４５、および防臭蓋４６を備えている。これらの構成部材は、平常時は分解された状態でスツール脚４１の中空部４１ｈに格納されている（図６参照）。
【００３４】
シュート４４は筒状であり、上側開口部がスツール脚４１の上端縁に掛けられる程度に広がっており、下側開口部が狭く絞られている。シュート４４はコンパクトに格納しやすいように布地で形成されている。シュート４４には汚物が投入されるため、汚物の付着を低減するためにターポリン等の撥水性を有する生地で形成することが好ましい。
【００３５】
図１０に示すように、フラッパ弁４５は、上部に汚物が投入される投入口４５ａ、下部に汚物が排出される排出管４５ｂを有している。投入口４５ａと排出管４５ｂとの間には弁体４５ｃが設けられている。弁体４５ｃは、常時は投入口４５ａと排出管４５ｂとの間を閉塞している。投入口４５ａから汚物が投入されると、その重量により弁体４５ｃが下がり、汚物を排出管４５ｂに排出する。
【００３６】
フラッパ弁４５の投入口４５ａには、その縁に沿って発泡ゴム等の弾性体４５ｄが設けられている。一方、シュート４４の下側開口部には、合成樹脂等で形成された環体４４ａが縫い込まれている。環体４４ａの外径は投入口４５ａの内径よりも若干小さく設定されている。環体４４ａを投入口４５ａに押し込むと、弾性体４５ｄが収縮して環体４４ａが保持される。これによりシュート４４の下端部にフラッパ弁４５を接続できる。
【００３７】
防臭蓋４６は板状の部材であり、略中央に開口が形成されている。その開口にフラッパ弁４５の排出管４５ｂが挿入される。防臭蓋４６は排出管４５ｂが貫通した状態でフラッパ弁４５の下部に固定される。
【００３８】
図１１に示すように、防臭蓋４６とフラッパ弁４５とは、ビス４６ａおよびナット４６ｂを用いて固定される。そして、ビス４６ａの軸部は防臭蓋４６の下方に突出している。ビス４６ａとナット４６ｂは４つずつ用いられており、防臭蓋４６とフラッパ弁４５とは４箇所で固定されている。ビス４６ａは基礎ブロック３０の嵌合凹部３３に対応して配置されている。
【００３９】
トイレスツール４０を便器の形態に組み立てる際には、防臭蓋４６を基礎ブロック３０の上面に載せ置き、ビス４６ａの軸部を嵌合凹部３３に挿入する。そうすると、防臭蓋４６と基礎ブロック３０とは互いに嵌合し、防臭蓋４６およびフラッパ弁４５が基礎ブロック３０に対して回転しないように固定することができる。
【００４０】
このような嵌合状態においては、防臭蓋４６が基礎ブロック３０の上面に載せ置かれ汚物投入孔３２の開口部を封止するとともに、排出管４５ｂが汚物投入孔３２に挿入される。汚物投入孔３２の開口部が防臭蓋４６により封止されるとともに、フラッパ弁４５が接続されるので、排水管１０内の汚物からの臭気が外に漏洩することを抑制でき、快適性に優れる。
【００４１】
なお、基礎ブロック３０の嵌合凹部３３が特許請求の範囲に記載の「嵌合部」に相当する。基礎ブロック３０と防臭蓋４６との嵌合は、本実施形態のように、防臭蓋４６側に凸部、基礎ブロック３０側に凹部を設ける形態のほか、防臭蓋４６側に凹部、基礎ブロック３０側に凸部を設ける形態でもよい。基礎ブロック３０の上面の嵌合部は、フラッパ弁４５に設けられた防臭蓋４６と嵌合することができればどのような形態でもよい。ただし、凹凸による嵌合であれば、防臭蓋４６を基礎ブロック３０に載せ置くだけでよく、素人でも簡単に組み立てることができるため好ましい。
【００４２】
図８および図９に戻り、トイレスツール４０を便器の形態に組み立てる手順を説明する。
まず、スツールの形態のトイレスツール４０から座板４２を取り外し、スツール脚４１の中空部４１ｈに格納された便器用の構成部材を取り出し、内蓋３６を取り外す（図６参照）。つぎに、フラッパ弁４５に防臭蓋４６を固定し、シュート４４の下端部にフラッパ弁４５を接続する（図１０参照）。
【００４３】
つぎに、防臭蓋４６を基礎ブロック３０の上面に載せ置く。ここで、防臭蓋４６の下方に突出したビス４６ａの軸部を基礎ブロック３０の嵌合凹部３３に挿入する（図１１参照）。このように、防臭蓋４６を基礎ブロック３０に嵌合させるだけで、フラッパ弁４５の取り付けができるので、災害時に素人でも簡単に組み立てることができる。
【００４４】
つぎに、シュート４４の上端開口部をスツール脚４１の上端縁に掛け、便座４３をスツール脚４１の上面に固定する。ここで、スツール脚４１と便座４３との間にシュート４４の上端開口部を挟むことでシュート４４の上部を固定する。なお、便座４３は、上部材４３ａと下部材４３ｂの２部材からなり、ビス等で下部材４３ｂをスツール脚４１の上面に固定した後、上部材４３ａを下部材４３ｂの上部に組み付ける。
【００４５】
以上の手順でトイレスツール４０を便器の形態に組み立てることができる。その後、図１および図２に示すように、トイレスツール４０ごとにテント５０が設置される。
【００４６】
図８に示すように、汚物はシュート４４に投入された後、フラッパ弁４５を介して縦管２０に排出される。このように、シュート４４によりスツール脚４１や基礎ブロック３０が汚れることを防止できる。そのため、清潔な状態を保つことができる。
【００４７】
シュート４４やフラッパ弁４５が汚れた場合には、水を流す等してシュート４４やフラッパ弁４５を洗浄できる。ここで、汚物や洗浄水が汚物投入孔３２の表面に付着すると、汚物投入孔３２の表面および縦管挿入凹部３１の表面を伝って、基礎ブロック３０と縦管２０との間の隙間を通り、縦管２０の外に排出される恐れがある。そうすると、縦管２０の周囲の土壌が汚染され臭気が発生する。
【００４８】
しかし、本実施形態では、縦管挿入凹部３１の底面に水切り溝３５が形成されているので、伝ってきた汚物や洗浄水は水切り溝３５より外側に伝わらず、縦管２０の内部に落下する（図８における矢印）。そのため、汚物や洗浄水が縦管２０の外に漏れ出ることを防止できる。その結果、縦管２０の周囲の土壌が汚染され臭気が発生することを防止でき、快適性に優れる。なお、水切り溝３５は縦管２０の内面より内側に形成される。
【００４９】
シュート４４やフラッパ弁４５は他の構成部材と分離でき、素人でも簡単に取り外し可能である。シュート４４やフラッパ弁４５が汚れた場合には、それらを取り外して隅々まで洗浄することができる。また、洗浄で汚れが取れない場合には、汚れたシュート４４やフラッパ弁４５を新しいものに取り替えることができる。このように素人でもメンテナンスが容易であるため、清潔な状態を保つことができる。
【００５０】
（その他の実施形態）
図１２および図１３に示すように、トイレスツール４０としてフラッパ弁４５および防臭蓋４６を有さない構成としてもよい。この場合には、シュート４４を長尺のものとし、その下側開口部を基礎ブロック３０の汚物投入孔３２に挿入する構成とする。シュート４４の下側開口部には、環体４４ａを設けてもよいし、設けなくてもよい。環体４４ａを設ける場合には、環体４４ａの外径は汚物投入孔３２の内径よりも若干小さく設定される。フラッパ弁４５および防臭蓋４６を有さないので、その分コストを抑えることができる。
【符号の説明】
【００５１】
Ａ    防災トイレ設備
１０  排水管
２０  縦管
３０  基礎ブロック
３１  縦管挿入凹部
３２  汚物投入孔
３３  嵌合凹部
３４  アンカー孔
３５  水切り溝
３６  内蓋
４０  トイレスツール
４１  スツール脚
４２  座板
４３  便座
４４  シュート
４５  フラッパ弁
４６  防臭蓋
５０  テント
【図１】
2015062609.tif 000003
【図２】
2015062609.tif 000004
【図３】
2015062609.tif 000005
【図４】
2015062609.tif 000006
【図５】
2015062609.tif 000007
【図６】
2015062609.tif 000008
【図７】
2015062609.tif 000009
【図８】
2015062609.tif 000010
【図９】
2015062609.tif 000011
【図１０】
2015062609.tif 000012
【図１１】
2015062609.tif 000013
【図１２】
2015062609.tif 000014
【図１３】
2015062609.tif 000015
【図１４】
2015062609.tif 000016
【図１５】
2015062609.tif 000017
【図１６】
2015062609.tif 000018